(57)【要約】      （修正有）【課題】構えやすくかつ重心深度の大きいアイアン型ゴルフクラブヘッドを提供する。【解決手段】アイアン型ゴルフクラブヘッド１であって、スコアラインが形成されたフェース２、フェース２の上縁からヘッド後方に延びるトップ３、フェース２の下縁２ｂからヘッド後方に延びるソール４、及び、ヒール側に設けられかつシャフト差込孔を有するホーゼルを含んでいる。シャフト差込孔を任意の垂直面内に配しかつスコアラインを水平として水平面に置いた基準状態において、スコアラインのヒール側端から、フェース高さが最大となる位置までのトウーヒール方向の区間での前記垂直面と直交する各ヘッド断面では、フェース２の下縁２ｂからソール側のヘッド最後端の位置Ｐ１までの水平距離Ａが、フェース２の下縁２ｂからトップ３のヘッド最後端の位置Ｐ２までの水平距離Ｂ以下であり、かつ、重心深度ＧＬが５．５mm以上である。【選択図】図６Ａ
2019017525.tif 000002
【特許請求の範囲】
【請求項１】
アイアン型ゴルフクラブヘッドであって、
スコアラインが形成されたフェース、前記フェースの上縁からヘッド後方に延びるトップ、前記フェースの下縁からヘッド後方に延びるソール、及び、ヒール側に設けられかつシャフト差込孔を有するホーゼルを含んでおり、
前記シャフト差込孔の中心軸線を任意の垂直面内に配しかつ前記スコアラインを水平として水平面に置いた基準状態において、
前記スコアラインのヒール側端の位置から、フェース高さが最大となる位置までのトウ−ヒール方向の区間での前記垂直面と直交する各ヘッド断面では、前記フェースの下縁から前記ソール側のヘッド最後端の位置までの水平距離Ａが、前記フェースの下縁から前記トップのヘッド最後端の位置までの水平距離Ｂ以下であり、かつ、
重心深度ＧＬが５．５mm以上である、
アイアン型ゴルフクラブヘッド。
【請求項２】
前記フェースのロフト角が３４度以下である、請求項１に記載のアイアン型ゴルフクラブヘッド。
【請求項３】
前記フェース高さは、３２．０〜６０．０mmの範囲にある、請求項１又は２に記載のアイアン型ゴルフクラブヘッド。
【請求項４】
前記トップの前記フェースと直交する向きの幅であるトップ厚さが３．０〜１０．０mmの範囲である、請求項１ないし３のいずれかに記載のアイアン型ゴルフクラブヘッド。
【請求項５】
前記フェースからヘッド後面までの前記フェースと直交する向きの幅であるヘッド厚さが１５．０〜２８．０mmの範囲である、請求項１ないし４のいずれかに記載のアイアン型ゴルフクラブヘッド。
【請求項６】
前記フェースを具えたヘッド本体と、前記ヘッド本体よりも大きい比重を有する重量物と、前記重量物を覆うように前記ヘッド本体に固定された固定用部材とを含んで構成されている、請求項１ないし５のいずれかに記載のアイアン型ゴルフクラブヘッド。
【請求項７】
前記重量物は、前記ヘッド本体との溶接性が低い材料からなり、
前記固定用部材は、前記ヘッド本体よりも大きくかつ前記重量物よりも小さい比重を有し、しかも、前記ヘッド本体との溶接性が高い材料からなり、
前記固定用部材は、前記ヘッド本体に溶接固定されている、
請求項６記載のアイアン型ゴルフクラブヘッド。
【請求項８】
前記フェースの少なくとも一部がチタン合金で形成されている、
請求項１ないし７のいずれかに記載のアイアン型ゴルフクラブヘッド。
【発明の詳細な説明】
【技術分野】
【０００１】
本発明は、アイアン型ゴルフクラブヘッドに関する。
【背景技術】
【０００２】
下記特許文献１には、アイアン型ゴルフクラブが記載されている。このアイアン型ゴルフクラブヘッドは、（１）ロフト角が４１度以下、（２）ヘッド厚さが２３mm以下、及び、（３）フェース高さが５３mm以上、で構成されている。このようなアイアン型ゴルフクラブヘッドは、ゴルファーが標準的な姿勢でクラブを構えた際に、ソールのトレーリングエッジが見えないので、ゴルファーにとって構えやすいという利点をもたらす。
【０００３】
しかしながら、構えやすさを重視して、ソールの幅を小さくしたアイアン型ゴルフクラブヘッドは、ヘッド重心がフェース寄りに位置する傾向があり、ひいては、打球が高く上がりにくいという課題があった。
【先行技術文献】
【特許文献】
【０００４】
【特許文献１】特開２０１６−２２１１８１号公報
【発明の概要】
【発明が解決しようとする課題】
【０００５】
本発明は、以上のような実情に鑑み案出なされたもので、構えやすい形状でありながら、打球を高く上げることができるアイアン型ゴルフクラブヘッドを提供することを主たる課題としている。
【課題を解決するための手段】
【０００６】
本発明は、アイアン型ゴルフクラブヘッドであって、スコアラインが形成されたフェース、前記フェースの上縁からヘッド後方に延びるトップ、前記フェースの下縁からヘッド後方に延びるソール、及び、ヒール側に設けられかつシャフト差込孔を有するホーゼルを含んでおり、前記シャフト差込孔の中心軸線を任意の垂直面内に配しかつ前記スコアラインを水平として水平面に置いた基準状態において、前記スコアラインのヒール側端の位置から、フェース高さが最大となる位置までのトウ−ヒール方向の区間での前記垂直面と直交する各ヘッド断面では、前記フェースの下縁から前記ソール側のヘッド最後端の位置までの水平距離Ａが、前記フェースの下縁から前記トップのヘッド最後端の位置までの水平距離Ｂ以下であり、かつ、重心深度ＧＬが５．５mm以上とされる。
【０００７】
前記フェースのロフト角は、３４度以下で構成されても良い。
【０００８】
前記フェース高さは、３２．０〜６０．０mmの範囲であっても良い。
【０００９】
前記トップの前記フェースと直交する向きの幅であるトップ厚さは、３．０〜１０．０mmの範囲であっても良い。
【００１０】
前記フェースからヘッド後面までの前記フェースと直交する向きの幅であるヘッド厚さは、１５．０〜２８．０mmの範囲であっても良い。
【００１１】
本実施形態のアイアン型ゴルフクラブヘッドは、前記フェースを具えたヘッド本体と、前記ヘッド本体よりも大きい比重を有する重量物と、前記重量物を覆うように前記ヘッド本体に固定された固定用部材とを含んで構成されても良い。
【００１２】
前記重量物は、前記ヘッド本体との溶接性が低い材料からなり、前記固定用部材は、前記ヘッド本体よりも大きくかつ前記重量物よりも小さい比重を有し、しかも、前記ヘッド本体との溶接性が高い材料からなり、前記固定用部材は、前記ヘッド本体に溶接固定されても良い。
【００１３】
前記フェースの少なくとも一部がチタン合金で形成されても良い。
【発明の効果】
【００１４】
本発明のアイアン型ゴルフクラブヘッドは、構えやすく、かつ、打球を高く上げることができる。
【図面の簡単な説明】
【００１５】
【図１】本発明の一実施形態のアイアン型ゴルフクラブヘッドの正面図である。
【図２】図１のアイアン型ゴルフクラブヘッドの背面図である。
【図３】図１のアイアン型ゴルフクラブヘッドの底面図である。
【図４】図１のアイアン型ゴルフクラブヘッドの上面図である。
【図５】アイアン型ゴルフクラブヘッドの基準状態を説明するためのゴルフクラブヘッドの概略斜視図である。
【図６Ａ】図４のＸ−Ｘ線断面図である。
【図６Ｂ】図４のＸ−Ｘ線断面図である。
【図７】本実施形態のアイアン型ゴルフクラブヘッドの正面側から見た分解斜視図である。
【図８】本実施形態のアイアン型ゴルフクラブヘッドのソール側から見た分解斜視図である。
【図９】（Ａ）〜（Ｃ）は、図２のゴルフクラブヘッドのＡ−Ａ線、Ｂ−Ｂ線及びＣ−Ｃ線の各位置の断面図である。
【図１０】図４のＸ−Ｘ線断面図である。
【図１１】図９（Ｂ）の部分拡大図である。
【図１２】重量物の変形例を示す図２のＢ−Ｂ線の位置に相当する断面図である。
【発明を実施するための形態】
【００１６】
以下、本発明の実施の一形態が図面に基づき説明される。
図１〜４は、本実施形態のアイアン型ゴルフクラブヘッド１の正面図、背面図、底面図及び上面図をそれぞれ示している。図１〜図４において、アイアン型ゴルフクラブヘッド１は、基準状態とされている。
【００１７】
［基準状態］
本明細書において、アイアン型ゴルフクラブヘッド１の「基準状態」とは、図５に概念的に示されるように、フェース２に形成されたスコアライン７と水平面ＨＰとが平行とされた状態で、アイアン型ゴルフクラブヘッド１が水平面ＨＰ上に載置された状態である。この基準状態では、アイアン型ゴルフクラブヘッド１のシャフト差込孔８の中心軸線Ｚが基準垂直面ＶＰ内に配されている。基準垂直面ＶＰは、水平面ＨＰに対して垂直な平面である。この基準状態において、スコアライン７は、水平面ＨＰに平行であり、かつ、基準垂直面ＶＰに平行である。特に言及されていない場合、アイアン型ゴルフクラブヘッド１は、基準状態に置かれているものである。
【００１８】
［ヘッドの方向］
図５を参照し、アイアン型ゴルフクラブヘッド１の前側は、ボールを打撃するフェース２の側を意味する。アイアン型ゴルフクラブヘッド１の後側は、その反対側を意味する。アイアン型ゴルフクラブヘッド１の「上側」及び「下側」は、垂直方向の「上側」及び「下側」をそれぞれ意味する。アイアン型ゴルフクラブヘッド１のトウ−ヒール方向は、アイアン型ゴルフクラブヘッド１の前後方向と直交する水平方向を意味する。
【００１９】
［ヘッドの基本形状］
図１〜４に示されるように、本実施形態のアイアン型ゴルフクラブヘッド１は、典型的なアイアン型の形状を有し、フェース２、トップ３、ソール４、トウ５及びホーゼル６を含んでいる。
【００２０】
フェース２は、ボールを打撃するための実質的に平坦な面である。フェース２は、上縁２ａ及び下縁２ｂを有する。フェース２には、ボールとの摩擦を高めるために、トウ−ヒール方向に延びる複数本のスコアライン７が設けられている。
【００２１】
トップ３は、フェース２の上縁２ａから後方に延びているアイアン型ゴルフクラブヘッド１の上面部分である。
【００２２】
ソール４は、フェース２の下縁２ｂから後方に延びているアイアン型ゴルフクラブヘッド１の底面部分である。トウ５は、ホーゼル６から最も離れた部分であり、トップ３とソール４との間を滑らかに接続している。
【００２３】
ホーゼル６は、クラブシャフト（図示省略）が連結されるためのシャフト差込孔８を有する部分であり、例えば、筒状に構成されている。シャフト差込孔８の中心軸線Ｚは、クラブシャフト（図示省略）がそこに固着されたときに、クラブシャフトの軸線に本質的に一致する。
【００２４】
図６Ａには、図４のアイアン型ゴルフクラブヘッド１のＸ−Ｘ線の拡大断面図が示されている。図６Ａに示されるように、本実施形態のアイアン型ゴルフクラブヘッド１は、フェース２の下縁２ｂからソール４側のヘッド最後端の位置Ｐ１までの水平距離Ａ（mm）が、フェース２の下縁２ｂからトップ３のヘッド最後端の位置Ｐ２までの水平距離Ｂ（mm）以下とされている。
【００２５】
図６Ｂには、水平距離Ａ及びＢをより詳細に示す図４のアイアン型ゴルフクラブヘッド１のＸ−Ｘ線の拡大断面図を示す。図６Ｂを参照すると、アイアン型ゴルフクラブヘッド１のロフト角をθ、フェース２と直交する方向に測定されたヘッド最大厚さをＴh、及び、ヘッド最大厚さとなるフェース２側の位置Ｐ３からフェース２の下縁２ｂまでのフェース２に沿った長さをａとすると、水平距離Ａは、次の式で表すことができる。
水平距離Ａ＝Ｔh・cosθ＋ａ・sinθ
【００２６】
同様に、アイアン型ゴルフクラブヘッド１のロフト角をθ、フェース２に沿ってスコアライン７と直交する方向に測定された長さであるフェース高さをＨ、及び、トップ３のフェース２と直交する方向に測定された厚さをＴtとすると、水平距離Ｂは、次の式で表すことができる。
水平距離Ｂ＝Ｈ・sinθ＋Ｔt・cosθ
【００２７】
図４に示されるように、上記のように構成されたアイアン型ゴルフクラブヘッド１を含むゴルフクラブを、標準的な状態（即ち、アイアン型ゴルフクラブヘッド１が基準状態とされるような状態）で構えた場合、ゴルファーには、ソール４側のヘッド最後端の位置Ｐ１が見えない。その代わりに、アイアン型ゴルフクラブヘッド１の最後端側に、トップ３のヘッド最後端の位置Ｐ２のエッジＥが見える。このようなアイアン型ゴルフクラブヘッド１は、ゴルファーがフェース２の輪郭を把握しやすく、構えやすいという利点をもたらす。
【００２８】
ここで、水平距離Ａ及びＢに関し、Ａ≦Ｂの関係は、図１に示されるように、トウ−ヒール方向において、少なくとも区間Ｙの全範囲で成立することが望ましい。区間Ｙは、スコアライン７のヒール側端７ｂの位置Ｐ４から、フェース高さＨが最大となる位置Ｐ５までの領域として定義される。なお、スコアラインが複数形成されている場合、上記位置Ｐ４は、ヒール側の端部が最もヘッドのヒール側に位置するスコアラインを基準に定められる。このような区間Ｙは、ゴルファーがアイアン型ゴルフクラブを構える際に、フェース２の向きを目標方向に合わせるために最も注視する部分だからである。
【００２９】
本実施形態では、前記区間Ｙの全範囲において、前記水平距離Ａ及びＢに関して、それらの差Ｂ−Ａが０以上とされるが、好ましい態様では、前記区間Ｙの全範囲において、Ｂ−Ａ＞０（mm）とされる。これにより、ゴルファーが構えた際に、ソール４側のヘッド最後端の位置Ｐ１がより見え難くなる。このような観点より、さらに好ましい態様では、前記区間Ｙの全範囲において、水平距離の差Ｂ−Ａは、３mm以上、より好ましくは５mm以上とされる。
【００３０】
図６Ａに戻ると、本実施形態のアイアン型ゴルフクラブヘッド１は、上述の構えやすさを維持しながら、重心深度ＧＬが５．５mm以上とされる。重心深度ＧＬは、図６Ａに示されるように、ヘッド重心Ｇからフェース２までの最短距離である。従来の構えやすいアイアン型ゴルフクラブヘッドは、いずれも、ヘッド重心Ｇがフェース２側に位置していたため、重心深度ＧＬが５．５mm未満と小さいものであった。このため、従来のアイアン型ゴルフクラブヘッドは、ヘッド重心Ｇを通るトウ−ヒール方向の水平軸周りの慣性モーメント（以下、「上下方向の慣性モーメント」という。）が小さく、打球が上がりにくい傾向があった。
【００３１】
これに対して、本実施形態のアイアン型ゴルフクラブヘッド１では、構えやすい形状を維持しつつ、重心深度ＧＬが５．５mm以上と大きく構成されている。このようなアイアン型ゴルフクラブヘッド１は、上下方向の慣性モーメントが大きいため、フェース２の下側で打撃した場合でもフェース２が下方向に回転し難く、インパクト時のロフト角が小さくなり難い。また、重心深度ＧＬが大きいと、シャフトの軸線に対してヘッド重心Ｇが大きく後方に位置する傾向がある。このようなゴルフクラブでは、ダウンスイング時、ヘッド重心がシャフトの軸線上（シャフトがしなっていない状態の軸線上）に位置しようとしてインパクト直前ではフェース２が上に向く方向に回転する。その結果、フェース２が上に向く方向にアイアン型ゴルフクラブヘッド１が回転し、インパクト時のロフト角が大きく、打出し角が大きくなる。これらの作用により、重心深度ＧＬが大きいアイアン型ゴルフクラブヘッド１は、ヘッドスピードが低いアベレージゴルファでも打球が上がりやすいという利点を有する。好ましい態様では、重心深度ＧＬは５．５mm以上、より好ましくは６．０mm以上とされる。
【００３２】
本発明は、アイアン型ゴルフクラブヘッド１であれば、特に制限なく採用可能であるが、好ましくは、フェース２のロフト角θが３４度以下であるアイアン型ゴルフクラブヘッド１に適用される。このようなアイアン型ゴルフクラブヘッドは、ロフト角θが小さいため、打球が上がりにくい傾向があるが、本発明を適用することにより、打球を高く上げ、飛距離を増大させるとともに、コントロールしやすい弾道を提供することができる。ロフト角θの下限は特に定めないが、例えば、２２度以上とされる。
【００３３】
図１に示したように、本実施形態のアイアン型ゴルフクラブヘッド１のフェース２は、フェース高さＨがヒール側からトウ側に向かって大きくなるように構成されている。好ましい態様では、フェース高さＨは、３２．０〜６０．０mmの範囲とされる。例えば、アイアン型ゴルフクラブヘッド１の前記位置Ｐ４において、フェース高さＨがほぼ最小値を示し、そこでのフェース高さＨは３２．０〜４０．０mm程度とされる。また、アイアン型ゴルフクラブヘッド１の前記位置Ｐ５では、フェース高さＨは、５２．０〜６０．０mm程度とされる。これにより、フェース２に十分に大きな面積が提供される。
【００３４】
図６Ｂを参照すると、好ましい実施形態では、トップ３の幅であるトップ厚さＴtが３．０〜１０．０mmとされる。トップ厚さＴtが３．０mm未満の場合、水平距離Ｂが小さくなる傾向があり、構えた際にソール４がゴルファーに視認されやすくなる。逆に、トップ厚さＴtが１０．０mmを超えると、ヘッド重心Ｇが高く位置する傾向があり、打球を高く上げ難いおそれがある。この意味では、重心高さＧＨ（水平面ＨＰからヘッド重心Ｇまでの垂直距離）は、例えば１６〜１９mmの範囲に設定されるのが望ましい。
【００３５】
好ましい実施形態では、フェース２からヘッド後面までのフェース２と直交する向きの幅であるヘッド厚さＴhが１５．０〜２８．０mmとされる。ヘッド厚さＴhが２８．０mmを超えると、水平距離Ａが大きくなる傾向があり、構えた際に、ソール４がゴルファーに視認されやすくなる。逆に、ヘッド厚さＴhが１５．０mm未満では、重心深度ＧＬが小さくなる傾向がある。とりわけ、アイアン型ゴルフクラブヘッド１の前記位置Ｐ５では、ヘッド厚さＴhは、１９．０〜２６．０mmが望ましく、前記位置Ｐ４では、ヘッド厚さＴhは、１５．０〜２０．０mmであるのが望ましい。
【００３６】
図７及び図８には、アイアン型ゴルフクラブヘッド１の分解斜視図が示されている。また、図９（Ａ）〜（Ｃ）には、図２のゴルフクラブヘッドのＡ−Ａ線、Ｂ−Ｂ線及びＣ−Ｃ線の各位置の断面図が示されている。なお、図９（Ａ）〜（Ｃ）では、理解しやすいように、フェース２を垂直な状態となるように前傾させた状態で描かれている。
【００３７】
好ましい実施形態では、アイアン型ゴルフクラブヘッド１は、重量物を含んで構成されても良い。特に好ましい形態では、アイアン型ゴルフクラブヘッド１は、ヘッド本体１０、重量物２０及び固定用部材３０を含んで構成される。
【００３８】
［ヘッド本体］
ヘッド本体１０は、アイアン型ゴルフクラブヘッド１の主要部を構成するもので、本実施形態では、スコアライン７が形成されたフェース２、トップ３、ソール４、トウ５及びホーゼル６を含んでいる。ヘッド本体１０は、例えば、金属材料で構成されている。より好ましい態様では、ヘッド本体は、図７に示されるように、フェースプレート１２と、フェース受け部１４とを含む。本実施形態では、フェースプレート１２及びフェース受け部１４とは、互いに異なる金属材料で構成されている。
【００３９】
フェースプレート１２は、例えば、アイアン型ゴルフクラブヘッド１を構成する金属材料の中で相対的に小さい比重を有する金属材料で構成されている。フェースプレート１２は、例えば、チタン合金で構成され、好ましくは、比重が４．５以下の比強度に優れたチタン合金が採用され得る。このような態様は、ヘッド重心Ｇをより後方に位置させるのに有効である。
【００４０】
フェース受け部１４は、例えば、トップ３、ソール４及びトウ５で囲まれた前後に貫通する開口部Ｏを有している。フェース受け部１４は、開口部Ｏの周りに、フェースプレート１２の周縁部が固着されるフェース取付部１６が設けられている。フェース取付部１６にフェースプレート１２が固着されることにより、開口部Ｏは閉じられる。フェースプレート１２とフェース受け部１４とは、例えば、溶接、ろう付け、接着剤又はカシメ等の接合手段によって一体に固着される。フェース受け部１４は、さらに、ホーゼル６を一体に具えている。
【００４１】
好ましい態様では、フェース受け部１４は、基本的な強度と良好な加工性などを具えている鉄基合金が採用され、好ましくはステンレス又は炭素鋼などが用いられる。これらの比重は、７．０を超えるもので、好ましくは、７．５以上とされる。このような態様は、ヘッド重心を、より後方に位置させるのに有効である。他の態様では、ヘッド本体１０は、１種類又は３種類以上の材料で構成されても良い。
【００４２】
１種類の材料で構成されたヘッド本体１０は、典型的には、フェースプレート１２とフェース受け部１４とが別部材ではなく、これらが一体的に一つの部材で作られた１ピース構造である。他の例として、ヘッド本体１０は、例えば、同一の材料からなるフェースプレート１２及びフェース受け部１４が一体に固着された２ピース構造であっても良い。また、３種類以上の材料で構成されたヘッド本体１０としては、例えば、フェース受け部１４を２以上の部材で構成し、フェースプレート１２と一体に固着したマルチピース構造が挙げられる。
【００４３】
図８に示されるように、ヘッド本体１０には、例えば、ヘッド仕上がり形状の外面から凹んだ凹部１８が設けられている。本実施形態では、凹部１８に後述の重量物２０及び固定用部材３０が配置されることにより、ヘッド仕上がり形状が得られる。換言すれば、凹部１８は、ヘッド仕上がり形状から、重量物２０及び固定用部材３０を取り除いた部分（空間ないし容積）として定義される。本実施形態において、凹部１８は、ソール４側（より詳しくは、フェース受け部１４のソール）に設けられており、トウ−ヒール方向に長く溝状に延びている。
【００４４】
［重量物］
重量物２０は、ヘッド本体１０よりも大きい比重を有する金属材料で構成される。ヘッド本体１０が、１種類の材料から構成されている場合、ヘッド本体１０の比重は当該材料の比重を意味する。一方、ヘッド本体１０が比重の異なる複数の材料を組み合わせて構成されている場合、ヘッド本体１０の比重は、各材料の比重を、各材料が構成している部材の体積で重み付けした加重平均値として特定される。
【００４５】
重量物２０は、ヘッド重心の位置の決定に大きな影響を与え、ヘッド重心の位置を、重量物２０の重心の位置に近づける働きをする。本実施形態において、重量物２０は、ヘッド重心をヘッドの下方かつ後方に近づけるようにソール側かつバック側に配置される。図７及び図８に示されるように、重量物２０は、例えば、トウ−ヒール方向に沿って長く延びている。より詳細には、図３に示されるように、そのトウ−ヒール方向の長さＷＬが、スコアライン７のトウ側端７ａからヒール側端７ｂまでの長さ以上とされている。また、重量物２０の、トウ−ヒール方向と直交する横断面積は、トウ−ヒール方向の両側に向かって漸減している。ヘッド重心Ｇの位置の調整とゴルフクラブヘッドのスイングのしやすさなどを考慮すれば、重量物２０の重量は、例えばヘッド全重量の約７％〜１２％の範囲に設定されるのが望ましい。
【００４６】
好ましい態様では、重量物２０は、Ｗ、Ｎｉ及びＦｅを含むタングステン・ニッケル・鉄合金で構成され得る。重量物２０の比重は、特に限定されるものではないが、好ましくは１０．０以上、より好ましくは１２．０以上とされる。また、重量物２０の比重は、上記のいずれかの下限値との組み合わせにおいて、好ましくは１８．５以下の範囲とされる。比重が大きいほど、重量物を小型化でき、生産性や設計自由度が向上する点で望ましい。
【００４７】
上記合金は、例えば、その化学成分中、Ｆｅに対するＷの割合を高めることによって、より大きな比重を得ている。一方、Ｗの増加によって高比重化された重量物２０は、相対的にＦｅの割合が低下するので、軟鉄やステンレス等の鉄基合金に対する溶接性が低下する。したがって、本実施形態の重量物２０は、鉄基合金からなるヘッド本体１０との溶接性が低いという特性を有する。ここで、「溶接性が低い」とは、対象となる相手方の金属材料との間で良好な溶接（欠陥のない健全な溶接）を行うことができないことを意味する。
【００４８】
本実施形態では、重量物２０は、凹部１８に配置される。重量物２０の容積は、凹部１８の容積よりも小さく構成されている。好ましい態様では、重量物２０は、凹部１８の表面の少なくとも一部と当接する。これについては、後述する。
【００４９】
［固定用部材］
固定用部材３０は、重量物２０を覆うようにヘッド本体１０に固定されている（図２、図３及び図９参照）。固定用部材３０は、例えば、ヘッド本体１０に溶接固定可能な金属材料で構成される。好ましい態様では、固定用部材３０は、比重に関して、ヘッド本体１０よりも大きく、かつ、重量物２０よりも小さい金属材料で構成される。このような態様では、重量物２０のみならず、固定用部材３０の重量も、ヘッド重心Ｇの位置の設計に利用することができる。
【００５０】
固定用部材３０に適した金属材料としては、例えば、重量物２０と類似のＷ、Ｎｉ及びＦｅを含むタングステン・ニッケル・鉄合金が挙げられる。このような合金は、Ｗの割合を調整する（重量物２０のそれに比して減らす）ことにより、鉄基合金からなるヘッド本体１０への溶接性（溶接継手の接合強度）を維持しながら、ヘッド本体１０よりも高い比重を持つことができる。より好ましい態様では、固定用部材３０の比重は、８．０〜１０．０の範囲とされる。
【００５１】
本実施形態では、固定用部材３０は、重量物２０を完全に覆うような状態でヘッド本体１０に固定されている（図２、図３及び図９参照）。一般に、より大きな比重を有する重量物２０の採用を試みる場合、当該重量物２０の化学成分等は、ヘッド本体１０のそれとは大きく異なったものになる。このため、そのような重量物２０は、ヘッド本体１０への溶接性が低下し、ヘッド本体１０に対する配置自由度が低く、ひいてはヘッド本体１０の後方側へ寄せて配置することは困難な傾向がある。これに対し、本実施形態のアイアン型ゴルフクラブヘッド１は、ヘッド本体１０に溶接固定された固定用部材３０で重量物２０を覆うことにより、ヘッド本体１０との溶接性が低い重量物２０を、ヘッド本体１０に固定している。このような態様によれば、ヘッド本体１０に対する重量物２０の配置自由度が高くなり、水平距離Ａが水平距離Ｂ以下であっても、高比重の重量物２０を、ヘッドのより後方に配置して、重心深度ＧＬを５．５mm以上確保することができる。
【００５２】
接合強度を高めるために、固定用部材３０の全周縁が、ヘッド本体１０と溶接されているのが望ましい。また、好ましい態様では、固定用部材３０は、重量物２０のヘッド外方側の面と少なくとも一部で接する内側面３２を含む。このような固定用部材３０は、重量物２０を押さえ、その移動やガタツキを阻止することができる。
【００５３】
本実施形態では、固定用部材３０は、少なくともバック面１７の少なくとも一部を構成している。バック面１７は、前傾状態のアイアン型ゴルフクラブヘッド１において、ヘッド後方から見たときに見える部分を指す。このような態様では、固定用部材３０の重量によっても、ヘッド重心Ｇをより後方に位置させ、ひいては重心深度ＧＬを大きくすることができる。好ましい態様では、固定用部材３０は、ソール４の少なくとも一部を構成することができる。このような態様では、固定用部材３０の重量によっても、ヘッド重心をより低く位置させることができる。
【００５４】
上記態様では、固定用部材３０は、重量物２０の全てを覆っている。他の態様として、固定用部材３０は、重量物２０をヘッド本体１０との間で固定可能であれば、重量物２０の一部のみを覆うものでも良い。
【００５５】
［凹部・重量物等の好ましい態様］
（態様１）
図８及び図１０に示されるように、ヘッド本体１０に形成された凹部１８は、ヘッド外面から凹んだ底部１８ａと、この底部１８ａに向かってテーパー状に配置された一対の斜面１８ｂを含んで構成されても良い。好ましい態様では、斜面１８ｂの一方は、フェース２と平行であり、他方は、フェース２と直交している。したがって、斜面１８ｂ、１８ｂ間には、ほぼ直角のコーナが形成されている。このコーナの奥側に、底部１８ａが形成されている。本実施形態では、底部１８ａは、２つの斜面に互いに交差する向きの平面で形成されている。
【００５６】
一方、重量物２０は、一対の斜面１８ｂ、１８ｂに当接する（嵌まり込む）テーパー部分２６を有する。即ち、テーパー部分２６は、斜面１８ｂ、１８ｂと本質的に面接触する部分を有している。また、テーパー部分２６の先端面２８は、テーパー部分２６が斜面１８ｂ、１８ｂと本質的に面接触したときに、凹部１８の底部１８ａとの間に隙間を形成するように構成されている。このような態様によれば、重量物２０の位置は、一対の斜面１８ｂによって拘束され、重量物２０のヘッド内部での移動（トウ−ヒール方向、前後方向又は上方の移動）が妨げられる。したがって、ボール打撃時、重量物２０のヘッド内部でのガタツキや振動に起因した異音の発生が抑制される。また、上記の構成で重量物２０のガタツキを抑制することができるため、重量物２０のテーパー部分２６等については、高い加工精度が不要となるため、生産性も向上する。好ましい態様では、上記隙間は、０．５mm以上とされる。
【００５７】
（態様２）
図９（Ｂ）及びその部分拡大図である図１１に示されるように、上記態様１に加えて又は態様１に代えて、ヘッド本体１０の凹部１８には、ヘッド外方に向かって突出する少なくとも一つの凸部１９が形成されても良い。本実施形態において、凸部１９は、例えば、凹部１８の底部１８ａに形成されている。本実施形態において、凸部１９は、例えば、略円柱状に形成されているが、このような態様に限定されるものではない。また、凸部１９は、凹部１８に一つ設けられているが、２つ以上設けられても良い。
【００５８】
重量物２０には、凸部１９に対応して、貫通孔２２が形成される。重量物２０は、貫通孔２２にヘッド本体１０の凸部１９が嵌め込まれるように凹部１８に配置されている。このような態様によれば、重量物２０は、凹部１８の斜面１８ｂとの接触のみならず、その貫通孔２２が凸部１９と係合することで、ガタツキや振動がより確実に抑制される。好ましい態様では、重量物２０の貫通孔２２は、図３に示されるように、重量物２０の長手方向の中央部に設けられているのが望ましい。このような態様では、重量物２０のガタツキ等がより効果的に抑制され得る。ここで、重量物２０の長手方向とは、重量物２０の最大長さＷＬとなる方向であり、本実施形態では、トウ−ヒール方向である。また、長手方向の中央部とは、前記最大長さＷＬの長手方向の中央点から、該長手方向の両側に、それぞれ重量物２０の最大長さの２０％の範囲内の部分とする。
【００５９】
（態様３）
図１１に示されるように、上記態様２を前提として、貫通孔２２と凸部１９との間に、重量物２０をヘッド本体１０側に固定するための係止部５０が配置されても良い。係止部５０は、貫通孔２２と凸部１９との間の隙間を埋め、両者の相対的な移動を、摩擦の作用及び／又は機械的な係合作用によって拘束するものが望ましい。このような係止部５０としては、特に限定されないが、例えば、凸部１９の先端部に溶接固着された溶接ビード５２を採用できる。溶接ビード５２は、流動性を有する溶融金属が固化したもので、本実施形態では凸部１９を構成している金属材料（即ち、ヘッド本体１０を形成している金属材料）と溶融・一体化している。
【００６０】
溶接ビード５２は、固化前の状態では流動性を有する。したがって、重量物の貫通孔２２と、ヘッド本体１０側の凸部１９とを嵌合させた後に、両者の間の微小な隙間に供給されることにより、その内部に浸透し、該隙間を埋めた状態で凸部１９に固着され得る。したがって、本実施形態の係止部５０は、重量物２０と直接的に一体化していなくても、貫通孔２２と凸部１９との隙間を減じ、両者の密着性を高める。これは、ヘッド本体１０に対する重量物２０の振動、即ち、凸部１９の突出方向及び突出方向に対して直角な方向の振動を、より効果的に抑制する。
【００６１】
係止部５０による重量物２０の拘束効果を高めるために、本実施形態では、凸部１９の先端側にテーパー部１９ａが形成されている。これにより、テーパー部１９ａと貫通孔２２の内面との間には、ヘッド外面に向かって拡大する隙間（空間）が提供される。このような隙間は、溶接継手のいわゆる開先として利用できる。即ち、上記空間に、溶融金属を十分に満たすことができる。溶融金属は、例えば、凸部１９とは別に溶加材として前記空間に供給されることが望ましい。溶加材は、凸部１９の表面と相互に溶融し、一体化しながら固化する。溶融金属の固化により、凸部１９の外周部分には、溶接ビード５２からなる係止部５０が形成され、貫通孔２２との密着性が高められる。
【００６２】
貫通孔２２は、ヘッド本体１０側の第１開口２２ａと、ヘッド外方側の第２開口２２ｂとを有するが、好ましい態様では、第２開口２２ｂは、第１開口２２ａよりも大きい横断面積を有する。より具体的な態様として、本実施形態の貫通孔２２は、第２開口２２ｂからヘッド本体１０側に向かって横断面積が漸減しているテーパー状部分を含んでいる。
【００６３】
このような態様によれば、貫通孔２２と凸部１９との間に、ヘッド外方に向かって徐々に拡大する係止部５０を形成するための隙間（空間）を提供できる。流動性を有する溶融金属がこのような隙間に供給されると、溶融金属は、隙間の奥深く（凸部１９の根元側）までより充填され易くなる利点がある。また、上記隙間に形成された溶接ビード５２は、重量物２０をヘッド外方側から押さえ込むことができる。したがって、この態様によれば、重量物２０の凸部１９の突出方向の移動が機械的に拘束され、重量物２０の振動に起因する異音の発生をより確実に抑制することができる。
【００６４】
第２開口２２ｂの横断面積を大きくする変形例としては、図１２に示されるように、例えば、第２開口２２ｂ側に、ステップ状に内径が拡大した拡径部分２５を有しても良い。拡径部分２５の態様は、凸部１９のテーパー部１９ａの構成とともに実施されると、より効果的であるが、凸部１９にテーパー部１９ａを形成しない構成において実施されても良い。
【００６５】
係止部５０としては、溶接ビード５２に限定されるものではなく、例えば、リング状の弾性体、エラストマー又は金属製リングなどの楔部材が凸部１９と貫通孔２２との間に圧入されても良い。いずれにせよ、係止部５０は、固定用部材３０で覆われるため、ヘッド外部から視認されることはないので、ヘッド外観などを損ねるおそれはない。
【００６６】
以上、本発明の実施形態が、種々説明されたが、本発明は、上記の実施形態に限定されるものではなく、種々の態様に変形することができる。特に、異なる実施形態間においても、１以上の特徴部分（変更部分）を相互に利用し又は組み合わせることが可能であることは言うまでもない。
【実施例】
【００６７】
図１〜６の基本形状を有するアイアン型ゴルフクラブヘッドが表１の仕様に基づいて試作され、それらに同一のシャフトを装着してアイアン型ゴルフクラブが製造された。表１において、フェース高さ、トップ厚さ、ヘッド厚さ及び水平距離の差Ｂ−Ａは、いずれも、ほぼ区間Ｙの中央位置であるスコアラインのヒール側端からトウ側へ２７mmの位置での値が表示されている。
【００６８】
【表１】
2019017525.tif 000003
【００６９】
表１に示された各アイアン型ゴルフクラブヘッドを用いて、構えやすさ及びスイング中のインパクト直前のロフト角が測定された。
【００７０】
「構えやすさ」については、テスター１０名（ヘッドスピードが平均３２m/s）によるアンケート方式の官能評価とした。数値が大きいほど、目標方向にフェースを合わせやすく、構えやすいことを意味する。また、インパクト直前のロフト角については、ポータブル型の弾道計測器を使用して測定された。角度が大きいほど、打球が上がりやすいことを意味する。
【００７１】
表１に示したように、テストの結果、実施例のアイアン型ゴルフクラブヘッドは、構えやすさを維持しながら、大きな重心深度を提供していることが確認できた。また、重心深度が大きいため、インパクト直前のロフト角も相対的に大きくなっていることが確認できた。
【符号の説明】
【００７２】
１  アイアン型ゴルフクラブヘッド
２  フェース
３  トップ
４  ソール
６  ホーゼル
７  スコアライン
１０  ヘッド本体
２０  重量物
３０  固定用部材
Ａ、Ｂ  水平距離
ＧＬ  重心深度
【図１】
2019017525.tif 000004
【図２】
2019017525.tif 000005
【図３】
2019017525.tif 000006
【図４】
2019017525.tif 000007
【図５】
2019017525.tif 000008
【図６Ａ】
2019017525.tif 000009
【図６Ｂ】
2019017525.tif 000010
【図７】
2019017525.tif 000011
【図８】
2019017525.tif 000012
【図９】
2019017525.tif 000013
【図１０】
2019017525.tif 000014
【図１１】
2019017525.tif 000015
【図１２】
2019017525.tif 000016